(57)【要約】【課題】  遊技機島の島幅の増加を抑制できる遊技機島用コイン・遊技球搬送装置を提供【解決手段】  遊技機島３内においてパチンコ機１１及び台間機１３の下方に搬送装置１が設置される。搬送装置１は、パチンコ機１１から排出された球（以降、排出球と称す）及び台間機１３から排出された硬貨（以降、排出コインと称す）を受け入れて、金庫１４の方向に向かって搬送するコイン用搬送ベルト２１と、コイン用搬送ベルト２１の下方に配置されて、排出球を揚送機１５の方向に向かって搬送する球用搬送ベルト３１とを備える。そしてコイン用搬送ベルト２１には、排出球が通過可能で且つ排出コインが通過不能に構成された複数の球排出孔が形成されている。従って、コイン用搬送ベルト２１に受け入れられた排出球は、球排出孔を通過してコイン用搬送ベルト２１から落下した後に球用搬送ベルト３１上に受け入れられる。【選択図】図１
2007054395.tif 000002
【特許請求の範囲】
【請求項１】
遊技媒体である遊技球が投入されることにより遊技客に遊技を提供する遊技機と、遊技媒体であるコインが投入されることにより遊技客に遊技を提供するスロット機または金員であるコインが投入されることにより遊技媒体を貸し出す台間機とが配置された遊技機島に設置され、前記遊技機から排出される遊技球である排出球と、前記スロット機または前記台間機から排出されるコインである排出コインとを搬送する遊技機島用コイン・遊技球搬送装置であって、
前記排出球及び前記排出コインを受け入れて搬送する第１搬送ベルトを有し、この第１搬送ベルトの、前記排出球及び前記排出コインを受け入れる側の面を第１搬送面とし、この第１搬送面上に、前記排出球が通過可能であるとともに前記排出コインが通過不能となる貫通孔である球排出孔が形成され、この第１搬送面を、前記排出コインを回収するために設定された第１所定搬送方向に向かって移動させるコイン搬送手段と、
前記第１搬送ベルトから前記球排出孔を通過して落下する排出球を受け入れて、受け入れた排出球を回収するために設定された所定搬送位置まで搬送する第１球搬送手段と、
を備えることを特徴とする遊技機島用コイン・遊技球搬送装置。
【請求項２】
前記第１搬送面上において、前記球排出孔の孔縁部には、漏斗状の傾斜が形成されている、
ことを特徴とする請求項１に記載の遊技機島用コイン・遊技球搬送装置。
【請求項３】
前記第１搬送ベルトは、
前記第１搬送面が、前記第１所定搬送方向に向かうにつれて高くなるように傾斜した部分と、前記第１所定搬送方向に向かうにつれて低くなるように傾斜した部分とを備えるように設置される、
ことを特徴とする請求項１または請求項２に記載の遊技機島用コイン・遊技球搬送装置。
【請求項４】
前記第１搬送面上にある前記排出球を前記球排出孔に誘導する誘導手段を備える、
ことを特徴とする請求項１〜請求項３の何れかに記載の遊技機島用コイン・遊技球搬送装置。
【請求項５】
前記第１搬送ベルトを振動させる振動手段を備える、
ことを特徴とする請求項１〜請求項４の何れかに記載の遊技機島用コイン・遊技球搬送装置。
【請求項６】
前記第１搬送面から、前記排出コインの幅より高く且つ前記排出球の直径より低い位置に配置され、前記第１搬送面上にある前記排出コインの前記第１所定搬送方向への移動を許可し、且つ前記第１搬送面上にある前記排出球の前記第１所定搬送方向への移動を阻止する球阻止手段を備える、
ことを特徴とする請求項１〜請求項５の何れかに記載の遊技機島用コイン・遊技球搬送装置。
【請求項７】
前記第１球搬送手段は、
前記排出球を受け入れて搬送する第２搬送ベルトを有し、この第２搬送ベルトの、前記排出球を受け入れる側の面を第２搬送面とし、この第２搬送面上の前記排出球が前記所定搬送位置に到達するように設定された第２所定搬送方向に向かって前記第２搬送面を移動させる第２球搬送手段である、
ことを特徴とする請求項１〜請求項６の何れかに記載の遊技機島用コイン・遊技球搬送装置。
【請求項８】
前記コイン搬送手段の非動作時には、前記第２球搬送手段の動作を禁止する球搬送禁止手段を備える、
ことを特徴とする請求項７に記載の遊技機島用コイン・遊技球搬送装置。
【請求項９】
前記第１球搬送手段は、
前記所定搬送位置に向かうにつれて低くなる傾斜面が形成された樋である、
ことを特徴とする請求項１〜請求項６の何れかに記載の遊技機島用コイン・遊技球搬送装置。
【請求項１０】
前記スロット機または前記台間機毎に当該スロット機または当該台間機から排出される排出コインの数を計数する排出コイン計数手段と、
前記排出コイン計数手段による計数結果に基づき、前記スロット機または前記台間機から排出される排出コインの数が予め設定された所定コイン計数値未満である場合には、前記コイン搬送手段の動作を禁止する第１コイン搬送禁止手段と、
を備えることを特徴とする請求項１〜請求項９の何れかに記載の遊技機島用コイン・遊技球搬送装置。
【請求項１１】
前記スロット機または前記台間機毎に当該スロット機または当該台間機から排出される排出コインの数を計数する排出コイン計数手段と、
前記排出コイン計数手段による計数結果に基づき、当該遊技機島に設置された全ての前記スロット機または前記台間機から排出される排出コインの総数が予め設定された所定コイン総数値未満である場合には、前記コイン搬送手段の動作を禁止する第２コイン搬送禁止手段と、
を備えることを特徴とする請求項１〜請求項９の何れかに記載の遊技機島用コイン・遊技球搬送装置。
【請求項１２】
前記遊技機毎に当該遊技機から排出される排出球の数を計数する排出球計数手段と、
前記排出球計数手段による計数結果に基づき、当該遊技機島に設置された全ての前記遊技機から排出される排出球の総数が予め設定された所定球総数値未満である場合には、前記コイン搬送手段の動作を禁止する第３コイン搬送禁止手段と、
を備えることを特徴とする請求項１〜請求項１１の何れかに記載の遊技機島用コイン・遊技球搬送装置。
【発明の詳細な説明】
【技術分野】
【０００１】
本発明は、遊技機が設置された遊技機島で使用されるコイン及び遊技球を搬送する遊技機島用コイン・遊技球搬送装置に関する。
【背景技術】
【０００２】
従来より、複数のパチンコ機が設置される遊技機島では、遊技中の遊技客がパチンコ機から離れることなく遊技球を借りることができるように、投入された硬貨の金額に応じた数の遊技球を貸し出す遊技球貸出装置（いわゆる台間機）がパチンコ機毎に設置されている。
【０００３】
ところで、パチンコ機が設置された遊技場においては、遊技に使用された遊技球（以降、遊技球を単に球と称す）を回収して、この球を繰り返し使用可能とするための球循環システムが構築されている。この球循環システムのうちで、球を回収する部分は、具体的には、遊技機島毎に設置される回収樋と、パチンコ機毎に設置される球収容器とから構成されている。これらのうち回収樋は、遊技機島の一端から他端に亘って延設され、この遊技機島内の全ての遊技機から排出される球をまとめて回収する。また球収容器は、遊技機毎に遊技盤上に打ち出された球を回収して、回収した球を更に回収樋へ誘導する。
【０００４】
更に遊技場においては、台間機に投入された硬貨を回収するための硬貨回収システムが構築されている。この硬貨回収システムは、遊技機島の一端から他端に亘って延設され、この遊技機島内の全ての台間機から排出されて落下する硬貨を受け止めて、受け止めた硬貨を予め設定された硬貨回収場所まで搬送するベルトコンベア（以降、硬貨用搬送装置と称す）から構成されている（例えば、特許文献１参照。）。
【特許文献１】特開２００４−１３７０６号公報
【発明の開示】
【発明が解決しようとする課題】
【０００５】
ところで、硬貨用搬送装置の設置位置としては、球収容器の上方または下方が考えられる。
まず、硬貨用搬送装置を球収容器よりも上方に設置する場合には、パチンコ機の裏面側において、硬貨用搬送装置がパチンコ機に接触しないように設置する必要がある。このため、遊技機島の島幅を広げることによって、パチンコ機に接触することなく硬貨用搬送装置を収容可能なスペースを確保しなくてはならなかった。
【０００６】
また、硬貨用搬送装置を球収容器よりも下方に設置する場合には、球収容器から回収樋へ球が誘導される経路（以降、球誘導経路と称す）を、硬貨用搬送装置が遮らないように設置する必要がある。このため、遊技機島の島幅を広げることによって、球誘導経路を遮ることなく硬貨用搬送装置を設置可能なスペースを確保しなくてはならなかった。
【０００７】
即ち、硬貨用搬送装置を設置すると遊技機島の島幅を広げなくてはならないため、その分、遊技場内に設置することができるパチンコ機の台数が減少してしまうという問題があった。
【０００８】
本発明は、こうした問題に鑑みなされたものであり、遊技機島の島幅の増加を抑制できる遊技機島用コイン・遊技球搬送装置を提供することを目的とする。
【課題を解決するための手段】
【０００９】
上記目的を達成するためになされた請求項１に記載の発明は、遊技媒体である遊技球が投入されることにより遊技客に遊技を提供する遊技機と、遊技媒体であるコインが投入されることにより遊技客に遊技を提供するスロット機または金員であるコインが投入されることにより遊技媒体を貸し出す台間機とが配置された遊技機島に設置され、遊技機から排出される遊技球である排出球と、スロット機または台間機から排出されるコインである排出コインとを搬送する遊技機島用コイン・遊技球搬送装置であって、排出球及び排出コインを受け入れて搬送する第１搬送ベルトを有し、この第１搬送ベルトの、排出球及び排出コインを受け入れる側の面を第１搬送面とし、この第１搬送面上に、排出球が通過可能であるとともに排出コインが通過不能となる貫通孔である球排出孔が形成され、この第１搬送面を、排出コインを回収するために設定された第１所定搬送方向に向かって移動させるコイン搬送手段と、第１搬送ベルトから球排出孔を通過して落下する排出球を受け入れて、受け入れた排出球を回収するために設定された所定搬送位置まで搬送する第１球搬送手段とを備えることを特徴とする。
【００１０】
このように構成された遊技機島用コイン・遊技球搬送装置では、コイン搬送手段は、球排出孔が形成された第１搬送ベルトを、第１搬送面が第１所定搬送方向に向かうように移動させる。また第１球搬送手段は、第１搬送ベルトから球排出孔を通過して落下する排出球を受け入れて、受け入れた排出球を所定搬送位置まで搬送する。
【００１１】
即ち、遊技機から排出された遊技球（排出球）と、スロット機または台間機から排出されたコイン（排出コイン）は、まず第１搬送ベルトに受け入れられる。そして、受け入れられた排出コインは、第１搬送面に受け入れられた状態で、第１所定搬送方向に向かって移動する。一方、第１搬送ベルトに受け入れられた排出球は、球排出孔を通過して第１搬送ベルトから落下する。そして、この落下した排出球は第１球搬送手段に受け入れられて、所定搬送位置まで搬送される。
【００１２】
このため、コイン搬送手段と第１球搬送手段とを、遊技球の落下方向（つまり縦方向）に並べて配置することができる。つまり、コイン搬送手段と第１球搬送手段とを遊技機島の島幅方向に並べて配置する必要がなくなるために、遊技機島の島幅の増加を抑制できる。
【００１３】
また請求項１に記載の遊技機島用コイン・遊技球搬送装置では、請求項２に記載のように、第１搬送面上において、球排出孔の孔縁部には、漏斗状の傾斜が形成されているようにするとよい。
【００１４】
このように構成された遊技機島用コイン・遊技球搬送装置では、漏斗状の傾斜上に位置する排出球は、この傾斜に沿って球排出孔に向かって移動する。このため、第１搬送面上の排出球が第１搬送ベルトから落下し易くなる。
【００１５】
また請求項１または請求項２に記載の遊技機島用コイン・遊技球搬送装置では、請求項３に記載のように、第１搬送ベルトは、第１搬送面が、第１所定搬送方向に向かうにつれて高くなるように傾斜した部分と、第１所定搬送方向に向かうにつれて低くなるように傾斜した部分とを備えるように設置されるようにするとよい。
【００１６】
以下に、この理由を図１７（ａ），（ｂ）を用いて説明する。図１７（ａ），（ｂ）は、第１搬送ベルトに傾斜した部分を設けた場合の効果を説明するための搬送ベルトＢＥ１の側面図であり、図１７（ａ）→図１７（ｂ）の順に時間が経過した状態を示している。
【００１７】
まず図１７（ａ）に示すように、所定搬送方向（図中における実線の矢印を参照）にコイン及び球を搬送する搬送ベルトＢＥ１には、コイン及び球を受け入れる側の面（以降、搬送面ＢＳ１と称す）上に、球が通過可能であるとともにコインが通過不能となる複数の球排出孔Ｈ１，Ｈ２，Ｈ３，Ｈ４が形成されている。また、搬送面ＢＳ１とは反対の面側には、搬送ベルトＢＥ１と接触しながら回転する搬送ローラＲ１，Ｒ２，Ｒ３が配設されている。尚、搬送ローラＲ１は、搬送ローラＲ２，Ｒ３よりも高い位置に設置されている。これにより搬送ベルトＢＥ１は、搬送ローラＲ１と搬送ローラＲ２との間では搬送面ＢＳ１が所定搬送方向に向かうにつれて高くなるように傾斜した部分と、搬送ローラＲ１と搬送ローラＲ３との間では搬送面ＢＳ１が所定搬送方向に向かうにつれて低くなるように傾斜した部分とを備えるように構成される。
【００１８】
このように構成された搬送ベルトＢＥ１において、搬送ローラＲ１と搬送ローラＲ２との間で所定搬送方向に向かって移動中の球排出孔Ｈ２において、この球排出孔Ｈ２の開口部を塞いだ状態でコインＣ１１が搬送面ＢＳ１上に載置され、またコインＣ１１に対して所定搬送方向の上流側でコインＣ１１に接触した状態で球Ｐ１１が搬送面ＢＳ１上に載置され、更にコインＣ１１に対して所定搬送方向の下流側でコインＣ１１に接触した状態で球Ｐ１２が搬送面ＢＳ１上に載置されている場合を想定する。
【００１９】
この時、球Ｐ１１に対して所定搬送方向の上流側に向かって作用する力が球Ｐ１１と搬送面ＢＳとの間の摩擦力より大きい場合には、球Ｐ１は所定搬送方向の上流側に向かって転がる。そして、転がる球Ｐ１１が、上流側に形成された球排出孔（例えば、図中の球排出孔Ｈ１）に到達した場合に、この球排出孔を通過して搬送ベルトＢＥ１から落下する（図中における１点鎖線の矢印を参照）。
【００２０】
一方、球Ｐ１２は、上流側への移動がコインＣ１１により阻止されているため、コインＣ１１に接触した状態を維持する。
しかしながら図１７（ｂ）に示すように、搬送ベルトＢＥ１の更なる移動により球排出孔Ｈ２が搬送ローラＲ１を越えた場合には、球Ｐ１２には所定搬送方向の下流側に向かう力が作用する。そして球Ｐ１２と搬送面ＢＳとの間の摩擦力より大きい場合には、球Ｐ１２は、コインＣ１に移動を阻止されることがないため、所定搬送方向の下流側に向かって転がる。そして、転がる球Ｐ１２が、下流側に形成された球排出孔（例えば、図中の球排出孔Ｈ３）に到達した場合に、この球排出孔を通過して搬送ベルトＢＥ１から落下する（図中における１点鎖線の矢印を参照）。
【００２１】
つまり請求項３に記載の遊技機島用コイン・遊技球搬送装置では、第１搬送面上において、排出球が、排出コインに対して第１所定搬送方向の上流側または下流側に接触することにより、その移動が阻止されている場合であっても、第１所定搬送方向に向かうにつれて高くなるように傾斜した部分と、第１所定搬送方向と反対の方向に向かうにつれて高くなるように傾斜した部分との両方を通過することによって、第１搬送面上における排出球の移動の排出コインによる阻止を解消できる。そして、排出球が第１搬送面上を移動することにより、排出球が球排出孔に到達する可能性が高まる。従って、第１搬送面上の排出球を第１搬送ベルトから落下し易くすることができる。
【００２２】
また請求項１〜請求項３の何れかに記載の遊技機島用コイン・遊技球搬送装置では、請求項４に記載のように、第１搬送面上にある排出球を球排出孔に誘導する誘導手段を備えるようにするとよい。
【００２３】
このように構成された遊技機島用コイン・遊技球搬送装置では、第１搬送面上にある排出球を球排出孔に誘導されるため、第１搬送面上の排出球が、第１搬送ベルトから落下し易くなる。
【００２４】
また請求項１〜請求項４の何れかに記載の遊技機島用コイン・遊技球搬送装置では、請求項５に記載のように、第１搬送ベルトを振動させる振動手段を備えるようにするとよい。
【００２５】
このように構成された遊技機島用コイン・遊技球搬送装置では、第１搬送面上で停止していた排出球が、振動により第１搬送面上を移動するようになる。そして、移動する排出球が球排出孔に到達すると、この排出球は球排出孔を通過して第１搬送ベルトから落下する。即ち、第１搬送面上の排出球が第１搬送ベルトから落下し易くなる。
【００２６】
また請求項１〜請求項５の何れかに記載の遊技機島用コイン・遊技球搬送装置では、請求項６に記載のように、第１搬送面から、排出コインの幅より高く且つ排出球の直径より低い位置に配置され、第１搬送面上にある排出コインの第１所定搬送方向への移動を許可し、且つ第１搬送面上にある排出球の第１所定搬送方向への移動を阻止する球阻止手段を備えるようにするとよい。
【００２７】
以下に、この理由を図１７（ｃ），（ｄ）を用いて説明する。図１７（ｃ），（ｄ）は、球阻止手段を設けた場合の効果を説明するための搬送ベルトＢＥ２の側面図であり、図１７（ｃ）→図１７（ｄ）の順に時間が経過した状態を示している。
【００２８】
まず図１７（ｃ）に示すように、所定搬送方向（図中における実線の矢印を参照）にコイン及び球を搬送する搬送ベルトＢＥ２には、コイン及び球を受け入れる側の面（以降、搬送面ＢＳ２と称す）上に、球が通過可能であるとともにコインが通過不能となる複数の球排出孔Ｈ５，Ｈ６が形成されている。
【００２９】
また、搬送面ＢＳ２から、コインの幅より高く且つ球の直径より低い位置に配置され、搬送面ＢＳ２上にあるコインの所定搬送方向への移動を許可し且つ搬送面ＢＳ２上にある球の所定搬送方向への移動を阻止するフィルタＦ１を備えている。
【００３０】
このように構成された搬送ベルトＢＥ２において、球排出孔Ｈ６における開口部を塞いだ状態でコインＣ１２が搬送面ＢＳ２上に載置され、更にこのコインＣ１２上に球Ｐ１３が載置された状態で、このコインＣ１２及び球Ｐ１３がフィルタＦ１に接近する場合を想定する。
【００３１】
この時、コインＣ１２はフィルタＦ１の直下を通過するのに対して、球Ｐ１３はフィルタＦ１によって移動を阻止される（図１７（ｄ）参照）。これにより球Ｐ１３は、コインＣ１２上に載置された状態から、搬送面ＢＳ２上に載置された状態となる。そして、搬送面ＢＳ２上の球Ｐ１３が、上流側に形成された球排出孔（例えば、図中の球排出孔Ｈ５）に到達した場合に、この球排出孔を通過して搬送ベルトＢＥ２から落下する。
【００３２】
つまり、排出コイン上に排出球が載置された状態を解消することにより、排出球が球排出孔に到達する可能性が高まる。従って、第１搬送面上の排出球を第１搬送ベルトから落下し易くすることができる。
【００３３】
また請求項１〜請求項６の何れかに記載の遊技機島用コイン・遊技球搬送装置では、請求項７に記載のように、第１球搬送手段は、排出球を受け入れて搬送する第２搬送ベルトを有し、この第２搬送ベルトの、排出球を受け入れる側の面を第２搬送面とし、この第２搬送面上の排出球が所定搬送位置に到達するように設定された第２所定搬送方向に向かって第２搬送面を移動させる第２球搬送手段であるようにしてもよい。
【００３４】
このように構成された遊技機島用コイン・遊技球搬送装置では、コイン搬送手段及び第２球搬送手段は搬送ベルトを用いた搬送を行っているため、コイン搬送手段と第２球搬送手段とで類似の制御方法を採用することができる。即ち、遊技機島用コイン・遊技球搬送装置の設計者にとって、当該装置の設計が容易になる。
【００３５】
ところで、コイン球搬送手段を常時動作させることなく、予め設定された条件が成立した場合に動作させるようにしてもよい。例えば、５分毎に１分間動作させるようにするようにすることが考えられる。このようにすれば、コイン球搬送手段を動作させるための電力消費を抑制できる。
【００３６】
しかしながら、コイン搬送手段の非動作時には、第１搬送面上に排出コインが蓄積されるため、この排出コインにより球排出孔が塞がれてしまうことが多くなる。即ち、コイン搬送手段の非動作時には、第１搬送面上の排出球は、球排出孔を通過してコイン搬送手段から落下することが少なくなる。その後、コイン搬送手段が動作開始すると、第１搬送面上の排出コインが予め設定されたコイン回収場所まで搬送されたりすることにより、第１搬送面上の排出コインが減少し、排出コインにより開口部が塞がれた球排出孔の数が減少する。この結果、第１搬送面上の排出球が、球排出孔を通過してコイン搬送手段から落下し易くなる。つまり、コイン搬送手段が動作を開始すると、多くの排出球が一度にコイン搬送手段から落下する虞がある。
【００３７】
そこで、請求項７に記載の遊技機島用コイン・遊技球搬送装置では、請求項８に記載のように、コイン搬送手段の非動作時には、第２球搬送手段の動作を禁止する球搬送禁止手段を備えるようにするとよい。
【００３８】
このように構成された遊技機島用コイン・遊技球搬送装置では、コイン搬送手段の動作時には第２球搬送手段は動作し、コイン搬送手段の非動作時には第２球搬送手段は非動作となる。
【００３９】
このため、第２球搬送手段を常時動作させる場合よりも、第２球搬送手段を動作させるための電力消費を抑制できる。また、コイン搬送手段が動作を開始して多くの排出球が一度にコイン搬送手段から落下しても、コイン搬送手段の動作時には第２球搬送手段が動作するため、多くの排出球が第２球搬送手段に蓄積されるということがなく、所定搬送位置まで搬送される。
【００４０】
また請求項１〜請求項６の何れかに記載の遊技機島用コイン・遊技球搬送装置では、請求項９に記載のように、第１球搬送手段は、所定搬送位置に向かうにつれて低くなる傾斜面が形成された樋であるようにしてもよい。
【００４１】
このように構成された遊技機島用コイン・遊技球搬送装置では、第１球搬送手段に受け入れられた排出球は、樋の傾斜に沿って移動して所定搬送位置に到達する。即ち、第１球搬送手段に受け入れられた排出球を所定搬送位置まで搬送するための電力が不要となるため、電力消費を抑制できる。
【００４２】
また請求項１〜請求項９の何れかに記載の遊技機島用コイン・遊技球搬送装置では、請求項１０に記載のように、スロット機または台間機毎に当該スロット機または当該台間機から排出される排出コインの数を計数する排出コイン計数手段と、排出コイン計数手段による計数結果に基づき、スロット機または台間機から排出される排出コインの数が予め設定された所定コイン計数値未満である場合には、コイン搬送手段の動作を禁止する第１コイン搬送禁止手段とを備えるようにするとよい。
【００４３】
このように構成された遊技機島用コイン・遊技球搬送装置では、スロット機または台間機から排出される排出コインの数が所定コイン計数値以上になると、コイン搬送手段は動作を開始する。
【００４４】
即ち、排出コインの数が所定コイン計数値未満の場合は、コイン搬送手段は動作を停止する。このため、コイン搬送手段を常時動作させる場合よりも、コイン搬送手段を動作させるための電力消費を抑制できる。
【００４５】
また、コイン搬送手段を常時動作させる場合よりも、第１搬送ベルト自体の消耗や、第１搬送ベルトを駆動するための手段（例えば、モータ）の消耗を抑制できる。
また請求項１０に記載の遊技機島用コイン・遊技球搬送装置では、スロット機または台間機毎のコイン排出量に基づいて、コイン搬送手段の動作／停止を制御するものを示したが、遊技機島に設置された全てのスロット機または台間機から排出されるコインの総排出量に基づいて、コイン搬送手段の動作／停止を制御するようにしてもよい。
【００４６】
即ち、請求項１〜請求項９の何れかに記載の遊技機島用コイン・遊技球搬送装置において、請求項１１に記載のように、スロット機または台間機毎に当該スロット機または当該台間機から排出される排出コインの数を計数する排出コイン計数手段と、排出コイン計数手段による計数結果に基づき、当該遊技機島に設置された全てのスロット機または台間機から排出される排出コインの総数が予め設定された所定コイン総数値未満である場合には、コイン搬送手段の動作を禁止する第２コイン搬送禁止手段とを備えるようにしてもよい。
【００４７】
このように構成された遊技機島用コイン・遊技球搬送装置では、当該遊技機島に設置された全てのスロット機または台間機から排出される排出コインの総数が所定コイン総数値以上になると、コイン搬送手段は動作を開始する。
【００４８】
即ち、排出コインの総数が所定コイン総数値未満の場合は、コイン搬送手段は動作を停止する。このため、コイン搬送手段を常時動作させる場合よりも、コイン搬送手段を動作させるための電力消費を抑制できる。また、コイン搬送手段を常時動作させる場合よりも、第１搬送ベルト自体の消耗や、第１搬送ベルトを駆動するための手段（例えば、モータ）の消耗を抑制できる。
【００４９】
更に請求項１０及び請求項１１に記載の遊技機島用コイン・遊技球搬送装置では、スロット機または台間機からのコイン排出量に基づいて、コイン搬送手段の動作／停止を制御するものを示したが、遊技機からの遊技球排出量に基づいて、コイン搬送手段の動作／停止を制御するようにしてもよい。
【００５０】
即ち、請求項１〜請求項１１の何れかに記載の遊技機島用コイン・遊技球搬送装置において、請求項１２に記載のように、遊技機毎に当該遊技機から排出される排出球の数を計数する排出球計数手段と、排出球計数手段による計数結果に基づき、当該遊技機島に設置された全ての遊技機から排出される排出球の総数が予め設定された所定球総数値未満である場合には、コイン搬送手段の動作を禁止する第３コイン搬送禁止手段とを備えるようにしてもよい。
【００５１】
このように構成された遊技機島用コイン・遊技球搬送装置では、遊技機から排出される排出球の数が所定球総数値以上になると、コイン搬送手段は動作を開始する。
即ち、排出球の数が所定球総数値未満の場合は、コイン搬送手段は動作を停止する。このため、コイン搬送手段を常時動作させる場合よりも、コイン搬送手段を動作させるための電力消費を抑制できる。また、コイン搬送手段を常時動作させる場合よりも、第１搬送ベルト自体の消耗や、第１搬送ベルトを駆動するための手段（例えば、モータ）の消耗を抑制できる。
【００５２】
尚、請求項１０〜請求項１２に記載の所定コイン計数値，所定コイン総数値及び所定球総数値については、第１搬送ベルト上に排出コイン及び排出球を載せて、コイン搬送手段が効率よく搬送する（即ち、少ない電力消費で多く排出コイン及び排出球を搬送する）ことができるように設定してもよいし、第１搬送ベルトやモータに過大に負荷が掛からないように設定してもよい。
【発明を実施するための最良の形態】
【００５３】
（第１実施形態）
以下に本発明の第１実施形態について図面をもとに説明する。
図１は本発明が適用された遊技機島用コイン・遊技球搬送装置（以降、搬送装置とも称す）１の全体構成を示すブロック図である。
【００５４】
図１に示すように遊技機島３には、この遊技機島３の長手方向に沿って並設される複数のパチンコ遊技機（以降、パチンコ機と称す）１１と、各パチンコ機１１の下方に設置され、対応するパチンコ機１１において遊技盤上に打ち出された遊技球（以降、球と称す）を回収し、回収された球の数を計数するアウトボックス１２と、各パチンコ機１１の側方（図では右側）に設置され、予め設定された金額の硬貨（例えば、１００円硬貨と５００円硬貨）を投入可能な投入口を備えて、この投入口に投入された硬貨の金額に応じた数の球を遊技客に貸し出す台間機１３と、硬貨を収納する金庫１４と、遊技機島３における長手方向の中央に設置され、搬送装置１により搬送された球を遊技機島３の上部へ揚送する揚送機１５と、パチンコ機１１の上方に設置され、揚送機１５により揚送された球を各パチンコ機１１へ配給する配給樋１６と、硬貨及び球をそれぞれ金庫１４及び揚送機１５まで搬送する搬送装置１とが取り付けられている。
【００５５】
尚、遊技場内の全てのパチンコ機１１にはそれぞれ、パチンコ機１１の遊技場内における位置を特定するための固有の番号（以降、台番号と称す）が付されている（図１におけるパチンコ機１１には、２２１から２３０までの台番号が付されている。）。
【００５６】
このうちパチンコ機１１は、球を当該パチンコ機１１の下方へ排出するように構成される。なお以降、パチンコ機１１から排出された球を排出球と称す。
またアウトボックス１２は、パチンコ機１１から回収した球を、当該アウトボックス１２の下方へ排出するように構成される。
【００５７】
また台間機１３は、投入口に投入された硬貨を、当該台間機１３の下方へ排出するように構成される。
また搬送装置１は、アウトボックス１２から排出された排出球、及び台間機１３から排出された硬貨（以降、排出コインとも称す）を受け入れて搬送するコイン用搬送ベルト２１と、コイン用搬送ベルト２１を移動させるための駆動ローラ２２及び従動ローラ２３と、コイン用搬送ベルト２１におけるコイン用搬送面（後述）の高さを設定するための低位置ローラ２４及び高位置ローラ２５と、コイン用搬送ベルト２１により搬送される排出球が金庫１４に到達するのを阻止するためのフィルタ２６と、排出球を受け入れて搬送する球用搬送ベルト３１と、球用搬送ベルト３１を移動させるための駆動ローラ３２および従動ローラ３３と、球用搬送ベルト３１により搬送された排出球を揚送機１５まで誘導する誘導通路３４と、搬送装置１全体の動作を制御する制御装置４０（図５参照）と、駆動ローラ２２を駆動する駆動モータ２２ａ（図５参照）と、駆動ローラ３２を駆動する駆動モータ３２ａ（図５参照）とから構成される。
【００５８】
このうちコイン用搬送ベルト２１は、アウトボックス１２及び台間機１３の下方に設置され、遊技機島３の長手方向一端付近から中央付近に亘って、駆動ローラ２２と従動ローラ２３とにより無端状に架け渡される。これによりコイン用搬送ベルト２１では、駆動ローラ２２の回動（図１中では反時計回り）により、コイン用搬送ベルト２１における駆動ローラ２２及び従動ローラ２３を挟んだ上側部分（以降、コイン用ベルト往路部と称す）が図１中右から左方向（図１中の矢印Ｄ１参照。以降、この方向をコイン用搬送方向と称す）へ移動し、下側部分（以降、コイン用ベルト復路部と称す）が図１中左から右方向へ移動する。
【００５９】
また、低位置ローラ２４及び高位置ローラ２５は、コイン用ベルト往路部を挟んでアウトボックス１２と反対側においてコイン用ベルト往路部に接するように配設されて、コイン用搬送ベルト２１の移動に従って回転するローラである。
【００６０】
なお本実施形態では、低位置ローラ２４及び高位置ローラ２５は、コイン用搬送方向に沿って交互に配置されている。また高位置ローラ２５は、隣接する高位置ローラ２５間の設置間隔が、隣接するパチンコ機１１間の設置間隔に略等しくなるように配置されている。即ちコイン用搬送ベルト２１は、コイン用ベルト往路部がパチンコ機１１の設置間隔分移動すると高位置ローラ２５を１回越えるように設定されている。
【００６１】
更に高位置ローラ２５は、低位置ローラ２４より高い位置に設置されている。これによりコイン用搬送ベルト２１のコイン用ベルト往路部では、低位置ローラ２４及び高位置ローラ２５との間で、コイン用搬送方向に向かうにつれて高くなるように傾斜した部分（低位置ローラ２４が高位置ローラ２５よりコイン用搬送方向上流側に配置されている場合）と、コイン用搬送方向に向かうにつれて低くなるように傾斜した部分（低位置ローラ２４が高位置ローラ２５よりコイン用搬送方向下流側に配置されている場合）とを備えるように構成される。
【００６２】
またフィルタ２６は、コイン用ベルト往路部を挟んで高位置ローラ２５と反対側において高位置ローラ２５の近傍に配設されている。
次に球用搬送ベルト３１は、コイン用ベルト往路部とコイン用ベルト復路部との間に設置され、遊技機島３の長手方向一端付近から中央付近に亘って、駆動ローラ３２と従動ローラ３３とにより無端状に架け渡される。これにより球用搬送ベルト３１では、駆動ローラ３２の回動（図１中では時計回り）により、球用搬送ベルト３１における駆動ローラ３２及び従動ローラ３３を挟んだ上側部分が図１中左から右方向（図１中の矢印Ｄ２参照。以降、この方向を球用搬送方向と称す）へ移動し、下側部分が図１中右から左方向へ移動する。
【００６３】
また誘導通路３４は、従動ローラ３３の下方に設置され、従動ローラ３３近傍から揚送機１５の下部に向けて下方に傾斜している。これにより誘導通路３４は、球用搬送ベルト３１によって従動ローラ３３まで搬送された排出球が球用搬送ベルト３１から落下した際に、この落下する排出球を受け入れて、揚送機１５の下部へ誘導する。
【００６４】
また金庫１４は、駆動ローラ２２の近傍に設置されており、コイン用搬送ベルト２１によって駆動ローラ２２まで搬送された排出コインがコイン用搬送ベルト２１から落下した際に、この落下する排出コインを受け入れて収納するように構成される。
【００６５】
次にコイン用搬送ベルト２１の構成を図２に基づいて説明する。図２（ａ）はコイン用搬送ベルト２１の平面図、図２（ｂ）は図２（ａ）のＡ−Ａ断面部を示す図である。
図２（ａ），図２（ｂ）に示すようにコイン用搬送ベルト２１は、例えばゴム等を材質として帯状に形成されたベルト本体５１と、ベルト本体５１の排出球及び排出コインを受け入れる側の面（以降、コイン用搬送面と称す）上に形成され、排出球が通過可能で且つ排出コインが通過不能に構成された複数の球排出孔５２と、コイン用搬送面上における幅方向両端それぞれの端縁部に全周に亘って立設され、この端縁部からコイン用搬送面上の排出球が落下することを防止するための遮蔽凸部５３と、ベルト本体５１の内部において、このベルト本体５１の全周に亘って埋設され、コイン用搬送ベルト２１の強度を補強する補強ワイヤ５４とから構成される。
【００６６】
なお球排出孔５２は、排出球の直径より大きく且つ排出コインの直径より小さい直径を有する円柱状の貫通孔５２ａと、コイン用搬送面上での貫通孔５２ａの孔縁部において漏斗状に傾斜した傾斜部５２ｂとから構成される。また本実施形態では、複数の球排出孔５２は、ベルト本体５１の周方向沿って等間隔に整列して配置され、また幅方向沿って等間隔（この間隔を以降、幅方向排出孔間隔と称す）に整列して配置されている。
【００６７】
次にフィルタ２６の構成を図３に基づいて説明する。図３（ａ）はフィルタ２６の平面図、図３（ｂ）はフィルタ２６の側面図である。
図３（ａ），図３（ｂ）に示すようにフィルタ２６は、排出球の通過を阻止するとともに、阻止した排出球を予め設定された所定案内位置に案内する球案内部材６１と、球案内部材６１をコイン用搬送面上において上下動可能に支持する支持部６２と、球案内部材６１の下方向への移動を規制する下方規制部材６３と、球案内部材６１の上方向への移動を規制する上方規制部材６４と、球案内部材６１を下方に付勢する付勢バネ６５とから構成される。
【００６８】
これらのうち球案内部材６１は、略Ｖ字状の凹部（以降、Ｖ字凹部と称す）が、予め設定された方向（以降、凹部配列方向と称す）に沿って上記の幅方向排出孔間隔毎に形成された形状をしている。
【００６９】
また支持部６２は、このＶ字凹部の内側がコイン用搬送方向上流側を向くように、更に凹部配列方向がベルト本体５１の幅方向と一致するように、球案内部材６１を、コイン用ベルト往路部を挟んで高位置ローラ２５と反対側において支持する。
【００７０】
また下方規制部材６３は、コイン用搬送面上から突出する高さが排出コインの幅より高く且つ排出球の直径より低くなるようにして、支持部６２に固定される。
また上方規制部材６４は、コイン用搬送面から排出球の直径より高い位置に配置されるようにして、支持部６２に固定される。
【００７１】
また付勢バネ６５は、一端が上方規制部材６４に他端が球案内部材６１に連結されている。
次に球用搬送ベルト３１の構成を図４に基づいて説明する。図４（ａ）は球用搬送ベルト３１の平面図、図４（ｂ）は図４（ａ）のＡ−Ａ断面部を示す図である。
【００７２】
図４（ａ），図４（ｂ）に示すように球用搬送ベルト３１は、例えばゴム等を材質として帯状に形成されたベルト本体７１と、ベルト本体７１の排出球を受け入れる側の面（以降、球用搬送面と称す）上に形成され、断面が円弧状の凹部となる複数のディンプル７２と、球用搬送面上における幅方向両端それぞれの端縁部に全周に亘って立設され、この端縁部から球用搬送面上の排出球が落下することを防止するための遮蔽凸部７３と、ベルト本体７１の内部において、このベルト本体７１の全周に亘って埋設され、球用搬送ベルト３１の強度を補強する補強ワイヤ７４とから構成される。
【００７３】
次に搬送装置１の電気的構成を図５に基づいて説明する。図５は、搬送装置１，アウトボックス１２及び台間機１３の電気的構成を表すブロック図である。
図５に示すように、アウトボックス１２は、回収した排出球を予め設けられた排出口から排出する際に、この排出口を通過する排出球の数が予め設定された所定球検出値（例えば、１０個）に達する毎に、その旨を示す球計数情報を送信する球計数機１２ａを備える。尚、球計数情報には、このアウトボックス１２に対応したパチンコ機１１の台番号を示す台番号情報が付与されている。
【００７４】
また台間機１３は、投入された硬貨を予め設けられた排出口から排出する際に、この排出口を通過する硬貨（排出コイン）の数が予め設定された所定コイン検出値（例えば、１０枚）に達する毎に、その旨を示すコイン計数情報を送信するコイン計数機１３ａを備える。尚、コイン計数情報には、この台間機１３に対応したパチンコ機１１の台番号を示す台番号情報が付与されている。
【００７５】
また搬送装置１は、駆動モータ２２ａ及び駆動モータ３２ａと、駆動モータ２２ａ及び駆動モータ３２ａを制御する制御装置４０とから構成される。
このうち制御装置４０は、駆動モータ２２ａ及び駆動モータ３２ａに駆動信号を伝えるモータ駆動回路４２と、当該搬送装置１が排出球を搬送すべき対象としているアウトボックス１２に対応する球計数機１２ａから球計数情報を受信するとともに、当該搬送装置１が排出コインを搬送すべき対象としている台間機１３に対応するコイン計数機１３ａからコイン計数情報を受信する通信部４３と、制御装置４０全体の動作を制御する制御部４１とから構成される。
【００７６】
また制御部４１は、所定の処理プログラムに基づいて処理を実行するＣＰＵ８１と、種々の処理プログラムが格納されたＲＯＭ８２と、種々のデータを格納するＲＡＭ８３と、モータ駆動回路４２及び通信部４３が接続され、ＣＰＵ８１及びＲＡＭ８３との間で信号及びデータの入出力を行う入出力部８４とから構成され、ＣＰＵ８１，ＲＯＭ８２，ＲＡＭ８３及び入出力部８４はバス８５を介して接続されている。
【００７７】
尚ＲＡＭ８３には、図１１（ａ）に示すように、当該搬送装置１が排出球を搬送すべき対象としているアウトボックス１２から排出される排出球の数（以降、排出球数と称す）をアウトボックス１２毎に記憶するとともに、当該搬送装置１が排出コインを搬送すべき対象としている台間機１３から排出される排出コインの数（以降、排出コイン数と称す）を台間機１３毎に記憶する球・コイン排出数リスト８３ａの記憶領域が確保されている。
【００７８】
またＲＡＭ８３には、コイン用搬送ベルト２１上の排出球の総数を示す総排出球数値を記憶する総排出球数記憶バッファＢ１と、コイン用搬送ベルト２１上の排出コインの総数を示す総排出コイン数値を記憶する総排出コイン数記憶バッファＢ２が設けられている。
【００７９】
またモータ駆動回路４２は、コイン用搬送ベルト２１（球用搬送ベルト３１）を移動させるためのコイン搬送ベルト移動指令（球搬送ベルト移動指令）が入力すると、コイン搬送ベルト移動指令（球搬送ベルト移動指令）に付与されている移動数情報（後述）を抽出し、移動数情報により示されるベルト移動数（後述）に応じた距離をコイン用搬送ベルト２１（球用搬送ベルト３１）が移動するように、駆動モータ２２ａ（駆動モータ３２ａ）を駆動する。例えばベルト移動数が「５」の場合には、隣接して設置されているパチンコ機１１間の距離（以降、パチンコ機間距離と称す）の５倍に相当する距離を移動させる。
【００８０】
このように構成された搬送装置１において、ＣＰＵ８１は、球計数情報及びコイン計数情報等に基づいて球・コイン排出数リスト８３ａを更新する排出数リスト更新処理と、コイン用搬送ベルト２１の移動を制御するコイン用ベルト移動制御処理と、球用搬送ベルト３１の移動を制御する球用ベルト移動制御処理とを実行する。
【００８１】
ここで、搬送装置１のＣＰＵ８１が実行する排出数リスト更新処理の手順を図６を用いて説明する。図６は排出数リスト更新処理を表すフローチャートである。尚、この排出数リスト更新処理は、ＣＰＵ８１が起動（電源オン）している間に繰り返し実行される処理である。
【００８２】
この排出数リスト更新処理が実行されると、ＣＰＵ８１は、まずＳ１０にて、球計数機１２ａから球計数情報を受信したか否かを判断する。ここで球計数情報を受信していない場合には（Ｓ１０：ＮＯ）、Ｓ４０に移行する。
【００８３】
一方、球計数情報を受信した場合には（Ｓ１０：ＹＥＳ）、Ｓ２０にて、受信した球計数情報に基づいて球・コイン排出数リスト８３ａを更新する。即ち、受信した球計数情報から台番号情報を抽出して、その後に球・コイン排出数リスト８３ａにおいて、この台番号情報により示される台番号に対応したアウトボックス１２の排出球数の値を１０加算する。そしてＳ３０にて、球・コイン排出数リスト８３ａにおける全ての排出球数（即ち、台番号２２１〜２３０の排出球数）の総和を計算し、この総和値を総排出球数値として、総排出球数記憶バッファＢ１に記憶して、Ｓ４０に移行する。
【００８４】
そしてＳ４０に移行すると、コイン計数機１３ａからコイン計数情報を受信したか否かを判断する。ここでコイン計数情報を受信していない場合には（Ｓ４０：ＮＯ）、Ｓ７０に移行する。
【００８５】
一方、コイン計数情報を受信した場合には（Ｓ４０：ＹＥＳ）、Ｓ５０にて、受信したコイン計数情報に基づいて球・コイン排出数リスト８３ａを更新する。即ち、受信したコイン計数情報から台番号情報を抽出して、その後に球・コイン排出数リスト８３ａにおいて、この台番号情報により示される台番号に対応した排出コイン数の値を１０加算する。そしてＳ６０にて、球・コイン排出数リスト８３ａにおける全ての排出コイン数（即ち、台番号２２１〜２３０の排出コイン数）の総和を計算し、この総和値を総排出コイン数値として、総排出コイン数記憶バッファＢ２に記憶して、Ｓ７０に移行する。
【００８６】
そしてＳ７０に移行すると、制御装置４０がコイン搬送ベルト移動指令を出力したか否かを判断する。ここでコイン搬送ベルト移動指令を出力していない場合には（Ｓ７０：ＮＯ）、排出数リスト更新処理を終了する。
【００８７】
一方、コイン搬送ベルト移動指令を出力した場合には（Ｓ７０：ＹＥＳ）、Ｓ８０にて、このコイン搬送ベルト移動指令に付与された移動数情報により示されるベルト移動数に基づいて球・コイン排出数リスト８３ａを更新する。即ち、球・コイン排出数リスト８３ａにおける排出球数を全て０にするとともに、球・コイン排出数リスト８３ａにおける排出コイン数の値をベルト移動数分繰り上げる。つまり、コイン用搬送ベルト２１が移動すると、コイン用搬送面上にあった排出球が全て落下し、コイン用搬送面上の排出コインはベルト移動数分、金庫１４に近づくという考えに基づいて、球・コイン排出数リスト８３ａを更新する。
【００８８】
例えば、ベルト移動数が「３」の場合には、図１１（ｂ）に示すように、台番号２２９に対応する排出コイン数（図１１（ｂ）では２０）を台番号２２６に対応する排出コイン数に設定する。尚、或る台番号に対応する排出コイン数において、繰り上げられる排出コイン数が存在しない場合には、排出コイン数を「０」に設定する。例えば図１１（ｂ）では、台番号２２８〜２３０に対応する排出コイン数が「０」に設定される。
【００８９】
その後Ｓ９０にて、球・コイン排出数リスト８３ａにおける全ての排出球数の総和を計算し、この総和値を総排出球数値として、総排出球数記憶バッファＢ１に記憶するとともに、球・コイン排出数リスト８３ａにおける全ての排出コイン数の総和を計算し、この総和値を総排出コイン数値として、総排出コイン数記憶バッファＢ２に記憶する。そして排出数リスト更新処理を終了する。
【００９０】
次に、搬送装置１のＣＰＵ８１が実行するコイン用ベルト移動制御処理の手順を図７を用いて説明する。図７はコイン用ベルト移動制御処理を表すフローチャートである。尚、このコイン用ベルト移動制御処理は、ＣＰＵ８１が起動（電源オン）している間に繰り返し実行される処理である。
【００９１】
尚、コイン用ベルト移動制御処理において、球・コイン排出数リスト８３ａにおける台番号２２１，２２２，２２３，・・・，２２９，２３０に対応する排出球数をそれぞれ、排出球数Ｎ１（１），Ｎ１（２），Ｎ１（３），・・・，Ｎ１（９），Ｎ１（１０）とする。また、球・コイン排出数リスト８３ａにおける台番号２２１，２２２，２２３，・・・，２２９，２３０に対応する排出コイン数をそれぞれ、排出コイン数Ｎ２（１），Ｎ２（２），Ｎ２（３），・・・，Ｎ２（９），Ｎ２（１０）とする。
【００９２】
また、以下に説明するコイン用ベルト移動制御処理において用いられる第１台識別番号ｉ，第２台識別番号ｊ，移動数判定値ｋ，コイン総数判定値Ｓ及びベルト移動数暫定値ｐは、０以上の整数値をとる変数である。
【００９３】
このコイン用ベルト移動制御処理が実行されると、ＣＰＵ８１は、まずＳ２１０にて、総排出球数記憶バッファＢ１に記憶された値（総排出球数値）が予め設定された所定排出球総数値（本実施形態では、例えば遊技球２０００個に相当する値）より大きいか否かを判断する。
【００９４】
ここで、総排出球数値が所定排出球総数値以下である場合には（Ｓ２１０：ＮＯ）、Ｓ２３０に移行する。一方、総排出球数値が所定排出球総数値より大きい場合には（Ｓ２１０：ＹＥＳ）、Ｓ２２０にて、ベルト移動数暫定値ｐを予め設定された所定島内台数値（本実施形態では、台番号２２１〜２３０の１０台のパチンコ機１１が設置されているため、「１０」と設定される）にして、Ｓ２３０に移行する。
【００９５】
そしてＳ２３０に移行すると、第１台識別番号ｉの値を１加算し、Ｓ２４０にて、第１台識別番号ｉの値が所定島内台数値より大きいか否かを判断する。ここで、第１台識別番号ｉが所定島内台数値より大きい場合には（Ｓ２４０：ＹＥＳ）、Ｓ２７０に移行する。
【００９６】
一方、第１台識別番号ｉが所定島内台数値以下の場合には（Ｓ２４０：ＮＯ）、Ｓ２５０にて、排出コイン数Ｎ２（ｉ）が予め設定された所定排出コイン数値（本実施形態では、例えばコイン５０枚に相当する値）であるか否かを判断する。ここで、排出コイン数Ｎ２（ｉ）が所定排出コイン数値以下の場合には（Ｓ２４０：ＮＯ）、Ｓ２３０に移行して上述の処理を繰り返す。一方、排出コイン数Ｎ２（ｉ）が所定排出コイン数値より大きい場合には（Ｓ２５０：ＹＥＳ）、Ｓ２６０にて、ベルト移動数暫定値ｐを１にして、Ｓ２７０に移行する。
【００９７】
そしてＳ２７０に移行すると、第１台識別番号ｉの値を０にして、Ｓ２８０にて、第２台識別番号ｊの値を１加算する。その後Ｓ２９０にて、第２台識別番号ｊの値が所定島内台数値より大きいか否かを判断する。ここで、第２台識別番号ｊが所定島内台数値より大きい場合には（Ｓ２９０：ＹＥＳ）、Ｓ３６０に移行する。
【００９８】
一方、第２台識別番号ｊが所定島内台数値以下の場合には（Ｓ２９０：ＮＯ）、Ｓ３００にて、コイン総数判定値Ｓに排出コイン数Ｎ２（ｊ）を加算して、Ｓ３１０にて、移動数判定値ｋが０より大きいか否かを判断する。
【００９９】
ここで、移動数判定値ｋが０である場合には（Ｓ３１０：ＮＯ）、Ｓ３２０にて、コイン総数判定値Ｓが予め設定された第１所定コイン総数値（本実施形態では、例えばコイン１００枚に相当する値）より大きいか否かを判断する。ここで、コイン総数判定値Ｓが第１所定コイン総数値以下である場合には（Ｓ３２０：ＮＯ）、Ｓ２８０に移行して上述の処理を繰り返す。一方、コイン総数判定値Ｓが第１所定コイン総数値より大きい場合には（Ｓ３２０：ＹＥＳ）、Ｓ３３０にて、移動数判定値ｋを第２台識別番号ｊにする。そして、Ｓ２８０に移行して上述の処理を繰り返す。
【０１００】
またＳ３１０にて、移動数判定値ｋが０より大きい場合には（Ｓ３１０：ＹＥＳ）、Ｓ３４０にて、コイン総数判定値Ｓが、第１所定コイン数値より大きくなるように予め設定された第２所定コイン総数値（本実施形態では、例えばコイン２００枚に相当する値）より大きいか否かを判断する。ここで、コイン総数判定値Ｓが第２所定コイン総数値以下である場合には（Ｓ３４０：ＮＯ）、Ｓ２８０に移行して上述の処理を繰り返す。一方、コイン総数判定値Ｓが第２所定コイン総数値より大きい場合には（Ｓ３４０：ＹＥＳ）、Ｓ３５０にて、移動数判定値ｋを（所定島内台数値−第２台識別番号ｊ−１）にして、Ｓ３６０に移行する。
【０１０１】
そしてＳ３６０に移行すると、第２台識別番号ｊ，コイン総数判定値Ｓ及び移動数判定値ｋを０にする。その後Ｓ３７０にて、ベルト移動数暫定値ｐが０より大きいか否かを判断する。ここで、ベルト移動数暫定値ｐが０である場合には（Ｓ３７０：ＮＯ）、コイン用ベルト移動制御処理を終了する。一方、ベルト移動数暫定値ｐが０より大きい場合には（Ｓ３７０：ＹＥＳ）、移動数情報をベルト移動数暫定値ｐに設定し、この移動数情報をコイン搬送ベルト移動指令に付与する。そしてＳ３８０にて、このコイン搬送ベルト移動指令を入出力部８４を介してモータ駆動回路４２へ出力する。その後Ｓ３９０にて、ベルト移動数暫定値ｐを０にして、コイン用ベルト移動制御処理を終了する。
【０１０２】
次に、搬送装置１のＣＰＵ８１が実行する球用ベルト移動制御処理の手順を図８を用いて説明する。図８は球用ベルト移動制御処理を表すフローチャートである。尚、この球用ベルト移動制御処理は、ＣＰＵ８１が起動（電源オン）している間に繰り返し実行される処理である。
【０１０３】
この球用ベルト移動制御処理が実行されると、ＣＰＵ８１は、まずＳ５１０にて、制御装置４０がコイン搬送ベルト移動指令を出力したか否かを判断する。ここで、コイン搬送ベルト移動指令を出力した場合には（Ｓ５１０：ＹＥＳ）、Ｓ５２０にて、移動数情報を所定島内台数値に設定し、この移動数情報を球搬送ベルト移動指令に付与する。そして、この球搬送ベルト移動指令を入出力部８４を介してモータ駆動回路４２へ出力する。その後、球用ベルト移動制御処理を終了する。
【０１０４】
一方、コイン搬送ベルト移動指令を出力していない場合には（Ｓ５１０：ＮＯ）、球用ベルト移動制御処理を終了する。
このように構成された搬送装置１では、球排出孔５２が形成されたコイン用搬送ベルト２１は、このコイン用搬送面がコイン用搬送方向に向かうように移動する。また球用搬送ベルト３１は、コイン用搬送ベルト２１から球排出孔５２を通過して落下する排出球を受け入れて、受け入れた排出球を誘導通路３４まで搬送する。
【０１０５】
即ち、パチンコ機１１から排出された球（排出球）と、台間機１３から排出された硬貨（排出コイン）は、まずコイン用搬送ベルト２１に受け入れられる。そして、受け入れられた排出コインは、コイン用搬送面に受け入れられた状態で、コイン用搬送方向に向かって移動して、金庫１４に回収される。一方、コイン用搬送ベルト２１に受け入れられた排出球は、球排出孔５２を通過してコイン用搬送ベルト２１から落下する。そして、この落下した排出球は球用搬送ベルト３１に受け入れられて、誘導通路３４まで搬送される。更に誘導通路３４に受け入れられた排出球は、揚送機１５の下部へ誘導される。
【０１０６】
このため、コイン用搬送ベルト２１と球用搬送ベルト３１とを、排出球の落下方向（つまり縦方向）に並べて配置することができる。つまり、コイン用搬送ベルト２１と球用搬送ベルト３１とを遊技機島３の島幅方向に並べて配置する必要がなくなるために、遊技機島３の島幅の増加を抑制できる。
【０１０７】
また球排出孔５２は、コイン用搬送面上での貫通孔５２ａの孔縁部において漏斗状に傾斜した傾斜部５２ｂを備えている。即ち、傾斜部５２ｂ上に位置する排出球は、この漏斗状傾斜に沿って貫通孔５２ａに向かって移動する。このため、コイン用搬送面上の排出球がコイン用搬送ベルト２１から落下し易くなる。
【０１０８】
またコイン用搬送ベルト２１は、図９（ａ）に示すように、コイン用搬送面が、コイン用搬送方向に向かうにつれて高くなるように傾斜した部分（以降、上昇傾斜部と称す）と、コイン用搬送方向に向かうにつれて低くなるように傾斜した部分（以降、下降傾斜部と称す）とを備える。
【０１０９】
このため、上昇傾斜部において、コイン用搬送方向の上流側で排出コインＣ１に接触した状態でコイン用搬送面上に載置されている排出球Ｐ１については、排出球Ｐ１に対してコイン用搬送方向の上流側に向かって作用する力が排出球Ｐ１とコイン用搬送面との間の摩擦力より大きい場合には、排出球Ｐ１はコイン用搬送方向の上流側に向かって転がる。そして転がる排出球Ｐ１が、上流側に形成された球排出孔５２に到達した場合に、この球排出孔５２を通過してコイン用搬送ベルト２１から落下する。
【０１１０】
一方、上昇傾斜部において、コイン用搬送方向の下流側で排出コインＣ２に接触した状態でコイン用搬送面上に載置されている排出球Ｐ２については、上流側への移動がコインＣ２により阻止されているため、コインＣ２に接触した状態を維持する。
【０１１１】
しかしながら、下降傾斜部において、コイン用搬送方向の下流側で排出コインＣ３に接触した状態でコイン用搬送面上に載置されている排出球Ｐ３については、排出球Ｐ３に対してコイン用搬送方向の下流側に向かって作用する力が排出球Ｐ３とコイン用搬送面との間の摩擦力より大きい場合には、排出球Ｐ３はコイン用搬送方向の下流側に向かって転がる。そして転がる排出球Ｐ３が、下流側に形成された球排出孔５２に到達した場合に、この球排出孔５２を通過してコイン用搬送ベルト２１から落下する。
【０１１２】
つまり、コイン用搬送面上において、排出球が、排出コインに対してコイン用搬送方向の上流側または下流側に接触することにより、その移動が阻止されている場合であっても、上昇傾斜部と下降傾斜部との両方を通過することによって、コイン用搬送面上における排出球の移動の排出コインによる阻止を解消できる。そして、排出球がコイン用搬送面上を移動することにより、排出球が球排出孔５２に到達する可能性が高まる。従って、コイン用搬送面上の排出球をコイン用搬送ベルト２１から落下し易くすることができる。
【０１１３】
また球案内部材６１は、図１０（ａ）に示すように、略Ｖ字状の凹部の内側がコイン用搬送方向Ｄ１の上流側を向くように配置され、更に、球排出孔５２の移動経路の直上に凹部における略Ｖ字状の頂点部が配置されるように設定されている。
【０１１４】
このため、コイン用搬送方向の上流から搬送されてくる排出球が、球案内部材６１に到達し、凹部における略Ｖ字状の直線部分に接触すると、凹部における略Ｖ字状の直線部分に沿って移動し球排出孔５２まで誘導される（図中における、排出球Ｐ４及び１点鎖線の矢印を参照）。従って、コイン用搬送面上の排出球が、コイン用搬送ベルト２１から落下し易くなる。
【０１１５】
また球案内部材６１は、コイン用搬送面上から突出する高さが排出コインの幅より高く且つ排出球の直径より低くなるようにして支持部６２に固定された下方規制部材６３によって、下方向への移動が規制されている。このため、コイン用搬送面上の排出コインは球案内部材６１の直下を通過することができる。一方、コイン用搬送面上の排出球は球案内部材６１により移動を阻止される。
【０１１６】
従って、図１０（ａ）に示すように、球排出孔５２における開口部を塞いだ状態で排出コインＣ５がコイン用搬送面上に載置され、更にこの排出コインＣ５上に排出球Ｐ５が載置された状態で、この排出コインＣ５及び排出球Ｐ５が球案内部材６１に接近する場合には、排出コインＣ５は球案内部材６１の直下を通過するのに対して、排出球Ｐ５は球案内部材６１によって移動を阻止される。これにより排出球Ｐ５は、排出コインＣ５上に載置された状態から、コイン用搬送面上に載置された状態となる。そして、コイン用搬送面上の排出球Ｐ５が、上流側に形成された球排出孔５２に到達した場合に、この球排出孔５２を通過してコイン用搬送ベルト２１から落下する。
【０１１７】
つまり、排出コイン上に排出球が載置された状態を解消することにより、排出球が球排出孔５２に到達する可能性が高まる。従って、コイン用搬送面上の排出球をコイン用搬送ベルト２１から落下し易くすることができる。
【０１１８】
また、コイン用搬送面上の排出球が、球排出孔５２を通過することなくコイン用搬送ベルト２１から落下しない場合でも、この排出球がコイン用搬送方向へ移動し続けて金庫１４に回収されてしまうという事態が発生することを抑制できる。
【０１１９】
ところで図１０（ｂ）に示すように、排出コインＣ６，Ｃ７，Ｃ８がコイン用搬送面上に積み重ねられた状態で載置されており、更にコイン用搬送面上に載置されている排出球Ｐ６が、排出コインＣ６，Ｃ７，Ｃ８の中で最も下流側に配置されている排出コインＣ８にコイン用搬送方向の下流側で接触している場合には、この排出球Ｐ６がコイン用搬送方向の上流側から球案内部材６１に接触すると、この排出球Ｐ６は上流側への移動が排出コインＣ６，Ｃ７，Ｃ８により阻止される。従って排出球Ｐ６は、排出コインＣ６，Ｃ７，Ｃ８がコイン用搬送方向へ移動することを阻止してしまう虞がある。
【０１２０】
しかしながら、球案内部材６１は、コイン用搬送面から球の直径より高い位置に配置された上方規制部材６４によって、上方規制部材６４が配置された高さまで上方向への移動が可能とされている。
【０１２１】
このため、上流側への移動が排出コインＣ６，Ｃ７，Ｃ８により阻止されることにより排出球Ｐ６が球案内部材６１をコイン用搬送方向に押圧すると、この押圧力により球案内部材６１が上方に移動する。これによって排出球Ｐ６は球案内部材６１の直下を通過することができる。つまり、排出球が排出コインにコイン用搬送方向の下流側で接触している状態で、球案内部材６１に接触しても、排出コインのコイン用搬送方向への移動を阻害することを防止できる。
【０１２２】
また、球用搬送ベルト３１の球用搬送面が、球用搬送方向に向かうにつれて高くなるように傾斜している場合には、球用搬送面上の排出球が球用搬送方向とは反対の方向に移動してしまう虞がある。
【０１２３】
しかしながら、球用搬送ベルト３１の球用搬送面上には、複数のディンプル７２が形成されている。従って、球用搬送方向とは反対の方向に移動する排出球がディンプル７２内に進入すると、この排出球はディンプル７２の内部に閉じ込められる（図９（ｂ）参照）。即ち、球用搬送面上の排出球が球用搬送方向とは反対の方向へ移動することを阻止できる。
【０１２４】
また、コイン用搬送ベルト２１が移動すると（Ｓ５１０：ＹＥＳ）、球用搬送ベルト３１が移動する（Ｓ５２０）。即ち、コイン用搬送ベルト２１の非動作時には、球用搬送ベルト３１は移動を停止している。このため、球用搬送ベルト３１を常時移動させる場合よりも、球用搬送ベルト３１を移動させるための電力消費を抑制できる。
【０１２５】
また、遊技機島３内の或る台間機１３についての排出コイン数Ｎ２（ｉ）が所定排出コイン数値より大きくなると（Ｓ２５０：ＹＥＳ）、コイン用搬送ベルト２１が移動する（Ｓ３８０）。即ち、排出コイン数Ｎ２（ｉ）が所定排出コイン数値以下の場合は（Ｓ２５０：ＮＯ）、コイン用搬送ベルト２１は移動を停止している。このため、コイン用搬送ベルト２１を常時移動させる場合よりも、コイン用搬送ベルト２１を移動させるための電力消費を抑制できる。
【０１２６】
また、コイン総数判定値Ｓが第２所定コイン数値より大きくなると（Ｓ３４０：ＹＥＳ）、コイン用搬送ベルト２１が移動する（Ｓ３８０）。即ち、搬送装置１が排出コインを搬送すべき対象としている全ての台間機１３から排出される硬貨（排出コイン）の総数が第２所定コイン数値以下の場合は（Ｓ３４０：ＮＯ）、コイン用搬送ベルト２１は移動を停止している。このため、コイン用搬送ベルト２１を常時移動させる場合よりも、コイン用搬送ベルト２１を移動させるための電力消費を抑制できる。
【０１２７】
尚、コイン総数判定値Ｓが第２所定コイン数値より大きくなると、第１所定コイン数値に相当する数量の排出コインをコイン用搬送ベルト２１上に残すように、コイン用搬送ベルト２１が移動する（Ｓ３５０，Ｓ３８０）。従って、第１所定コイン数値と第２所定コイン数値を調整することにより、コイン用搬送ベルト２１を移動させた前後で、コイン用搬送ベルト２１上に残る排出コインの数に大きな差が生じるということを防止できる。即ち、駆動モータ２２ａの駆動負荷を可能な限り均一化することができる。
【０１２８】
また、総排出球数値が所定排出球総数値より大きくなると（Ｓ２１０：ＹＥＳ）、コイン用搬送ベルト２１が移動する（Ｓ３８０）。即ち、搬送装置１が排出球を搬送すべき対象としている全パチンコ機１１から排出される球（排出球）の総数が所定排出球総数値以下の場合は（Ｓ２１０：ＮＯ）、コイン用搬送ベルト２１は移動を停止している。このため、コイン用搬送ベルト２１を常時移動させる場合よりも、コイン用搬送ベルト２１を移動させるための電力消費を抑制できる。
【０１２９】
以上説明した実施形態において、パチンコ機１１は本発明における遊技機、コイン用搬送ベルト２１，駆動ローラ２２，従動ローラ２３及び駆動モータ２２ａは本発明におけるコイン搬送手段、球用搬送ベルト３１，駆動ローラ３２，従動ローラ３３及び駆動モータ３２ａは本発明における第１球搬送手段及び第２球搬送手段、コイン用搬送ベルト２１は本発明における第１搬送ベルト、コイン用搬送面は本発明における第１搬送面、コイン用搬送方向は本発明における第１所定搬送方向、球用搬送ベルト３１は本発明における第２搬送ベルト、球用搬送面は本発明における第２搬送面、球用搬送方向は本発明における第２所定搬送方向、揚送機１５の下部は本発明における所定搬送位置である。
【０１３０】
また、球案内部材６１は本発明における誘導手段、フィルタ２６は本発明における球阻止手段、球用ベルト移動制御処理は本発明における球搬送禁止手段である。
また、コイン計数機１３ａは本発明における排出コイン計数手段、球計数機１２ａは本発明における排出球計数手段、Ｓ２５０，２６０及びＳ３８０の処理は本発明における第１コイン搬送禁止手段、Ｓ２８０〜Ｓ３８０の処理は本発明における第２コイン搬送禁止手段、Ｓ２１０，Ｓ２２０及びＳ３８０の処理は本発明における第３コイン搬送禁止手段、所定排出コイン数値は本発明における所定コイン計数値、第２所定コイン総数値は本発明における所定コイン総数値、所定排出球総数値は本発明における所定球総数値である。
【０１３１】
（第２実施形態）
以下に本発明の第２実施形態について図面をもとに説明する。尚、第２実施形態では、第１実施形態と異なる部分のみを説明する。
【０１３２】
図１２は第２実施形態における搬送装置１の全体構成を示すブロック図、図１３（ａ）は第２実施形態におけるフィルタ２６の平面図、図１３（ｂ）は第２実施形態におけるフィルタ２６の側面図、図１４は加振機９０の側面図、図１５は、第２実施形態における搬送装置１，アウトボックス１２及び台間機１３の電気的構成を表すブロック図である。
【０１３３】
第２実施形態における搬送装置１が第１実施形態の搬送装置１と異なる点は、球用搬送ベルト３１，駆動ローラ３２及び従動ローラ３３が省略された点（図１２参照）と、コイン用ベルト往路部とコイン用ベルト復路部との間において遊技機島３の長手方向一端付近から中央付近に亘って設置され、誘導通路３４に向かうにつれて低くなる傾斜面が形成された回収樋３６が追加された点（図１２参照）と、高位置ローラ２５が配置される箇所毎に、高位置ローラ２５よりコイン用搬送方向下流側に配置され、コイン用搬送ベルト２１を振動させる加振機９０とが追加された点（図１２，図１４参照）と、フィルタ２６の構成が変更された点（図１３参照）と、駆動モータ３２ａが省略された点（図１５参照）と、球用ベルト移動制御処理が省略されている点以外は第１実施形態と同一である。
【０１３４】
次に第２実施形態におけるフィルタ２６の構成を図１３に基づいて説明する。
図１３（ａ），図１３（ｂ）に示すようにフィルタ２６は、球案内部材６１と、支持部６２と、上方規制部材６４と、付勢バネ６５と、球案内部材６１による下方向の移動を規制するとともに、球案内部材６１による上方向の移動を検出する下方規制部材６７とから構成される。
【０１３５】
これらのうち下方規制部材６７は、コイン用搬送面上から突出する高さが排出コインの幅より高く且つ排出球の直径より低くなるように配置されて支持部６２を支持する本体部６７ａと、球案内部材６１が下方規制部材６７と接触している場合にはオフとなり、球案内部材６１が下方規制部材６７と非接触の場合にはオンとなる接触検出センサ６７ｂとから構成される。
【０１３６】
次に加振機９０の構成を図１４に基づいて説明する。
図１４に示すように加振機９０は、接触検出センサ６７ｂがオンになったときに振動する振動源を備えた加振本体部９１と、加振本体部９１に連結され、加振本体部９１において発生した振動をコイン用搬送ベルト２１に伝達する振動伝達部９２とから構成される。
【０１３７】
尚、加振本体部９１の内部には、接触検出センサ６７ｂと導線９３により接続され、接触検出センサ６７ｂがオンになると通電し、通電後は予め設定された所定振動時間（例えば、１０秒間）、通電を自己保持するリレー回路（不図示）が設けられている。そして、加振本体部９１は、リレー回路が通電している間、動作するように構成されている。これにより、接触検出センサ６７ｂがオンからオフになっても、オフになってから所定振動時間の間は、振動を継続させることができる。
【０１３８】
このように構成された搬送装置１では、回収樋３６に形成された傾斜面を介して、コイン用搬送ベルト２１から落下した排出球を回収して揚送機１５まで搬送することができる。即ち、排出球を揚送機１５まで搬送するための電力が不要となるため、電力消費を抑制できる。
【０１３９】
また、例えば図１０（ｂ）に示すように、球案内部材６１が上方に移動すると、接触検出センサ６７ｂがオンとなり、これにより加振機９０がコイン用搬送ベルト２１を振動させる。従って、コイン用搬送面上で停止していた排出球が、振動によりコイン用搬送面上を移動するようになる。そして、移動する排出球が球排出孔５２に到達すると、この排出球は球排出孔５２を通過してコイン用搬送ベルト２１から落下する。即ち、コイン用搬送面上の排出球がコイン用搬送ベルト２１から落下し易くなる。
【０１４０】
以上説明した実施形態において、回収樋３６は本発明における樋、加振機９０は本発明における振動手段である。
以上、本発明の一実施例について説明したが、本発明は上記実施例に限定されるものではなく、本発明の技術的範囲に属する限り種々の形態を採ることができる。
【０１４１】
例えば、上記実施形態においては、パチンコ機１１と台間機１３が遊技機島３に設置された場合における搬送装置を示した。しかし、投入されたコインを排出する装置であれば、台間機１３の代わりに、どのような装置を設置してもよい。例えば、スロット機のように、遊技メダルが投入されることにより遊技客に遊技を提供する装置であってもよい。
【０１４２】
ここで、遊技機島にパチンコ機とスロット機が併設されている場合の搬送装置２０１の構成を図１６に基づいて説明する。
パチンコ機（不図示）とスロット機（不図示）が併設されている遊技機島２０３には、図１６に示すように、パチンコ機とスロット機の下方に設置され、パチンコ機から排出された球とスロット機から排出されたメダルを受け止めて搬送する搬送装置２０１と、遊技機島２０３における長手方向の中央に設置され、搬送装置２０１により搬送された球を遊技機島２０３の上部へ揚送する球揚送機２１１と、パチンコ機の上方に設置され、球揚送機２１１により揚送された球を各パチンコ機へ配給する配給樋２１２と、搬送装置２０１により搬送されたメダルを遊技機島２０３の上部へ揚送するメダル揚送機２１３と、スロット機の上方に設置され、メダル揚送機２１３により揚送されたメダルを各スロット機へ配給する配給ベルトコンベア２１４と、投入口から投入された球とメダルの数を計数する球・メダル計数機２１５と、球・メダル計数機２１５において投入された球を搬送装置２０１へ揚送する球揚送ベルトコンベア２１６とが取り付けられている。
【０１４３】
このうち搬送装置２０１は、第１実施形態と同一の構成を有するコイン用搬送ベルト２１と、コイン用搬送ベルト２１を移動させるための駆動ローラ２２２及び従動ローラ２２３と、第１実施形態と同一の構成を有する球用搬送ベルト３１，駆動ローラ３２及び従動ローラ３３と、球用搬送ベルト３１により搬送された排出球を球揚送機２１１まで誘導する誘導通路２３４と、搬送装置２０１全体の動作を制御する制御装置（不図示）と、駆動ローラ２２２を駆動する駆動モータ（不図示）と、駆動ローラ３２を駆動する駆動モータとから構成される。
【０１４４】
このうちコイン用搬送ベルト２１は、パチンコ機とスロット機の下方に設置され、遊技機島２０３の長手方向一端付近から中央付近に亘って、駆動ローラ２２２と従動ローラ２２３とにより無端状に架け渡される。これによりコイン用搬送ベルト２１では、駆動ローラ２２２の回動（図１中では反時計回り）により、コイン用搬送ベルト２１における駆動ローラ２２２及び従動ローラ２２３を挟んだ上側部分（コイン用ベルト往路部）が図１６中右から左方向へ移動し、下側部分（コイン用ベルト復路部）が図１６中左から右方向へ移動する。
【０１４５】
このように構成された搬送装置２０１では、球排出孔５２が形成されたコイン用搬送ベルト２１は、このコイン用搬送面がコイン用搬送方向に向かうように移動する。また球用搬送ベルト３１は、コイン用搬送ベルト２１から球排出孔５２を通過して落下する排出球を受け入れて、受け入れた排出球を誘導通路２３４まで搬送する。
【０１４６】
即ち、パチンコ機から排出された球と、スロット機から排出されたメダルは、まずコイン用搬送ベルト２１に受け入れられる。そして、受け入れられたメダルは、コイン用搬送面に受け入れられた状態で、コイン用搬送方向に向かって移動して、メダル揚送機２１３まで搬送される。一方、コイン用搬送ベルト２１に受け入れられた球は、球排出孔５２を通過してコイン用搬送ベルト２１から落下する。そして、この落下した球は球用搬送ベルト３１に受け入れられて、誘導通路２３４まで搬送される。更に誘導通路２３４に受け入れられた球は、球揚送機２１１へ誘導される。
【０１４７】
このため、コイン用搬送ベルト２１と球用搬送ベルト３１とを、球の落下方向（つまり縦方向）に並べて配置することができる。つまり、コイン用搬送ベルト２１と球用搬送ベルト３１とを遊技機島２０３の島幅方向に並べて配置する必要がなくなるために、遊技機島２０３の島幅の増加を抑制できる。
【０１４８】
また上記第２実施形態において、加振機９０はリレーを備え、接触検出センサ６７ｂがオンになった後、所定振動時間内通電させることにより、振動を継続させるものを示した。しかし、加振機９０が、ＣＰＵを有する制御装置（例えば、マイクロコンピュータ等）を備え、接触検出センサ６７ｂがオンになると所定振動時間振動させるように加振機９０を制御するプログラムを制御装置に実行させるように構成してもよい。
【図面の簡単な説明】
【０１４９】
【図１】搬送装置１の全体構成を示すブロック図。
【図２】コイン用搬送ベルト２１の平面図及びＡ−Ａ断面部を示す図。
【図３】フィルタ２６の平面図及び側面図。
【図４】球用搬送ベルト３１の平面図及びＡ−Ａ断面部を示す図。
【図５】搬送装置１の電気的構成を表すブロック図。
【図６】排出数リスト更新処理手順を示すフローチャート。
【図７】コイン用ベルト移動制御処理手順を示すフローチャート。
【図８】球用ベルト移動制御処理手順を示すフローチャート。
【図９】上昇傾斜部及び下降傾斜部の効果と、ディンプル７２の効果を説明する図。
【図１０】球案内部材６１の効果を説明する図。
【図１１】球・コイン排出数リスト８３ａの構成及び更新方法を説明する図。
【図１２】第２実施形態における搬送装置１の全体構成を示すブロック図。
【図１３】第２実施形態におけるフィルタ２６の平面図及び側面図。
【図１４】加振機９０の構成を示す側面図。
【図１５】第２実施形態における搬送装置１の電気的構成を表すブロック図。
【図１６】搬送装置２０１の全体構成を示すブロック図。
【図１７】第１搬送ベルトに傾斜した部分を設けた場合の効果と、球阻止手段を設けた場合の効果を説明する図。
【符号の説明】
【０１５０】
１…搬送装置、３…遊技機島、１１…パチンコ機、１２…アウトボックス、１２ａ…球計数機、１３…台間機、１３ａ…コイン計数機、１４…金庫、１５…揚送機、１６…配給樋、２１…コイン用搬送ベルト、２２…駆動ローラ、２２ａ…駆動モータ、２３…従動ローラ、２４…低位置ローラ、２５…高位置ローラ、２６…フィルタ、３１…球用搬送ベルト、３２…駆動ローラ、３２ａ…駆動モータ、３３…従動ローラ、３４…誘導通路、３６…回収樋、４０…制御装置、４１…制御部、４２…モータ駆動回路、４３…通信部、５１…ベルト本体、５２…球排出孔、５２ａ…貫通孔、５２ｂ…傾斜部、５３…遮蔽凸部、５４…補強ワイヤ、６１…球案内部材、６２…支持部、６３…下方規制部材、６４…上方規制部材、６５…付勢バネ、６７…下方規制部材、６７ａ…本体部、６７ｂ…接触検出センサ、７１…ベルト本体、７２…ディンプル、７３…遮蔽凸部、７４…補強ワイヤ、８１…ＣＰＵ、８２…ＲＯＭ、８３…ＲＡＭ、８３ａ…球・コイン排出数リスト、８４…入出力部、８５…バス、９０…加振機、９１…加振本体部、９２…振動伝達部、９３…導線、２０１…搬送装置、２０３…遊技機島、２１１…球揚送機、２１２…配給樋、２１３…メダル揚送機、２１４…配給ベルトコンベア、２１５…球・メダル計数機、２１６…球揚送ベルトコンベア、２２２…駆動ローラ、２２３…従動ローラ、２３４…誘導通路。
【図１】
2007054395.tif 000003
【図２】
2007054395.tif 000004
【図３】
2007054395.tif 000005
【図４】
2007054395.tif 000006
【図５】
2007054395.tif 000007
【図６】
2007054395.tif 000008
【図７】
2007054395.tif 000009
【図８】
2007054395.tif 000010
【図９】
2007054395.tif 000011
【図１０】
2007054395.tif 000012
【図１１】
2007054395.tif 000013
【図１２】
2007054395.tif 000014
【図１３】
2007054395.tif 000015
【図１４】
2007054395.tif 000016
【図１５】
2007054395.tif 000017
【図１６】
2007054395.tif 000018
【図１７】
2007054395.tif 000019